(57)【要約】      （修正有）【課題】軽量で誰でも容易に取り付けられ、安価で取り出し易くしかも全体が見た目にも美しい玄関ドア用郵便受けを提供する。【解決手段】玄関ドアに設置する、郵便受け基盤部１と受納部２からなり、基盤部１の上方が既設玄関ドアの郵便受け口３Ａの外周を囲み、郵便受け口１Ａを設ける。受納部２は、郵便受け口１Ａの上方部分から基盤部１の下方部分まで弓状に形成して左右は開放とし、両側面から郵便物が自由に取り出せるように構成する。郵便受け基盤部１は、既設玄関ドアに接着剤、粘着テ−プで簡単に取り付けが出来ることを特徴とする。【選択図】図１
0003121694.tif 000002
【実用新案登録請求の範囲】
【請求項１】
玄関ドアの郵便受け口室内側に郵便受け基盤部１受納部２を設け、基盤部１の郵便受け口を嵌め、基盤部１の背面を接着剤、粘着テ−プで玄関ドアに固定して使用する事を特徴とする玄関ドア用郵便受け。
【請求項２】
前記郵便受けは、郵便受け口に上下左右４個の折口を設け、その裏面を玄関ドアの郵便受け口内側に接着剤、粘着テープで固定して使用する事を特徴とする請求項１記載の玄関ドア用郵便受け。
【請求項３】
前記郵便受けの側面は、中心部分の幅を広く、底部分の幅を狭くした弓状である事を特徴とする請求項１．２記載の玄関ドア用郵便受け。
【請求項４】
前記郵便受けは、左右両側面に、投函された郵便物等の取り出し口を側面弓状に沿う形で開設する事を特徴とする請求項１．２．３記載の玄関ドア用郵便受け。  
【考案の詳細な説明】
【技術分野】
【０００１】
本考案は、玄関ドア用郵便受けに関するものである。
【背景技術】
【０００２】
従来の、団地などで使用されている玄関ドア用郵便受けは、特許文献２に示されるように玄関ドア室内側に郵便受けに筐体を設け、開閉蓋あるいは引戸を開いて郵便物を取り出すように構成されている。又その郵便受け本体は、先ず基盤部をドアに取り付け、それに
受箱部筐体を嵌め合わせ設置するよう構成された郵便受けである。
【０００３】
【特許文献１】特開平０７−５９６４３号公報
【特許文献２】実開平０６−０５０５７９号公報
【考案の開示】
【考案が解決しようとする課題】
【０００４】
１鋼製で複雑な構造である為、取り付けには技術と工具が必要で、ドアが重くなり値段も高い。
【０００５】
２ドア側に穴を開ける等の必要が生じ傷をつける等の問題点があり、郵便物等を入れる側も受け取る側も落下、散乱する不快感を覚えつつ、多くの家庭では玄関ドア用郵便受けを使用していないのが実情である。
【０００６】
本考案の郵便受けは、軽量で誰でも容易に取り付けられ、安価で取り出し易くしかも全体が見た目にも美しい玄関ドア用郵便受けを提供することを課題とする。
【課題を解決するための手段】
【０００７】
以上の課題を解決するために、本考案の郵便受けは、玄関ドアの既設郵便受け口室内側に本考案の郵便受け口を嵌め、郵便受け本体基盤の背面及び郵便受け口を接着剤、粘着テープでドアに固定して使用する。
【０００８】
又、前記郵便受け本体の側面は、中心部分の幅を広く底部分の幅は狭くした弓状であり、左右両側面に、投函された郵便物等の取り出し口を側面弓状に沿う形で構成する。
【考案の効果】
【０００９】
本考案は、次に記載する効果を奏する。
【００１０】
複雑な構造がない為全体として軽量化出来、接着剤、粘着テ−プ等による既設玄関ドアへの取り付けが可能となり、且つ安価な製品を提供出来る。
【００１１】
本郵便受けに設けられた郵便受け口に上下左右4個の折口を設け、玄関ドアに既設の郵便受け口内側に接着剤、粘着テープ等で固定する事で、設置中に本体及び投函物の重量が本体背面の接着面のみに架かるのを軽減出来る。
【００１２】
本郵便受けは、中心部分の幅を広くする事で大型郵便物等でも受け入れ易く、又底部分の幅を弓状に狭くしていく事で投函物が自然にドア側に寄せられて重心がドアの反対方向に広がるのを防ぎ接着剤の効果が持続し易い。更に狭い玄関でも本体下部の両角が邪魔にならず、全体の形状も美しい。
【００１３】
本郵便受けの左右両側面に投函物の取り出し口を設ける事で、左右どちらの側からでもあるいは両手を使用して取り出すことも出来るという利便性が増し、又大型郵便物等を取り出す際の型くずれも少なくて済む。  
【考案を実施するための最良の形態】
【００１４】
本郵便受けは、図１に示すように基盤部１と受納部２からなり、基盤部１の上方位置には既設の郵便受け口３Ａの外周を囲う郵便受け口１Ａが開設され、この郵便受け口１Ａの上下左右には図２・図３に示すようにそれぞれ折口１Ｂ，１Ｃ，１Ｄ，１Ｅが連設されている。受納部２は郵便受け口１Ａの上方部分から基盤部１の下方位置まで側面弓状に連設されている２Ａと、この２Ａの左右にそれぞれ直角に連設し、且つ郵便受け口１Ａの左右両部分から基盤部１の下方位置まで側面弓状に連設されている左右両側板２Ｂ及び２Ｃとからなる。この左右両側板２Ｂ及び２Ｃにはそれぞれ取り出し口２Ｄ及び２Ｅが２Ａの側面弓状に沿う形で設けられている。
【００１５】
本郵便受けの材質は軽量で不燃材料であれば特に限定されず、金属、木材、プラスチック、布等何れでも良いが、受納部前面２Ａは透明又は半透明のプラスチックを使用すればひと目で中の郵便物を確認出来るので望ましい。本体全てをプラスチック製にする場合は、合成樹脂成型によりそれぞれ別体として製作し、組み合わせたものとして一体化する。２Ａおよび両側面２Ｂ，２Ｃを合成樹脂の一体成型により製作したものとしてもよい。
【実施例１】
【００１６】
次に、本考案の玄関ドア用郵便受けを取り付ける場合、図３に示すように基盤部１背面の要所々々に接着剤、両面テープ等を付け、折口１Ｂ，１Ｃ，１Ｄ，１Ｅ以外を先ずドアに貼り付ける。この時既設の郵便受け口上方部分が本体郵便受け口１Ａの上方部分に密着する位置に取り付けるようにすれば本体と投函物との重量がここでも支えられる事になる。又ドアがガラス等で凹凸のある場合にはクッション性のある厚い粘着テープ等を併用すると良い。次に既設の郵便受け口３Ａ内側の上下左右部分である３Ｂ，３Ｃ，３Ｄ，３Ｅに本体の郵便受け口の折口１Ｂ，１Ｃ，１Ｄ，１Ｅをそれぞれ貼り付ける。折口の幅は既設の郵便受け口の幅に合わせカットして使用する。
【実施例２】
【００１７】
図１の実施例では、郵便受け本体基盤部に開設した郵便受け口の上下左右４個の折口は既設の郵便受け口内側に貼り付けているが、室内側に防犯用の庇が出ている場合は下方部分の折口１Ｃのみ内側に貼り付け、他の３方の折口は室内側に折り返して庇に貼り付けて使用すると良い。
【図面の簡単な説明】
【００１８】
【図１】本考案の一実施形態を示す斜視図
【図２】図１の縦断面図
【図３】図１の背面図
【符号の説明】
【００１９】
１      本体基盤部  
１Ａ    本体郵便受け口
１Ｂ    折口上
１Ｃ    折口下
１Ｄ    折口左
１Ｅ    折口右
２      本体受納部
２Ａ    受納部前面
２Ｂ    受納部左側面
２Ｃ    受納部右側面
２Ｄ    左取り出し口
２Ｅ    右取り出し口
３      ドア
３Ａ    ドア既設郵便受け口
３Ｂ    ドア既設郵便受け口上
３Ｃ    ドア既設郵便受け口下
３Ｄ    ドア既設郵便受け口左
３Ｅ    ドア既設郵便受け口右
【図１】
0003121694.tif 000003
【図２】
0003121694.tif 000004
【図３】
0003121694.tif 000005